(57)【特許請求の範囲】
【請求項１】
物干しハンガーにピンチを取付けるピンチ取付け体と、
一端が前記物干しハンガーのフレームに取りつけられ他端が開放端となるＵ字体と、
前記フレームから前記Ｕ字体の前記開放端に向けて延びる片持ち梁の案内板であって前記Ｕ字体へのピンチ取付け体の取り付けを案内する案内板と、
前記フレームが形成する壁面であって前記Ｕ字体への前記ピンチ取付け体の取り付けを案内する案内壁とを備え、
前記ピンチ取付け体は、前記Ｕ字体と前記案内板の間に形成される導入口から挿入され、
前記案内板に沿わせながら前記案内壁に向けて更に差し込まれ、前記Ｕ字体の前記開放端と前記フレームとの間に形成された空所に入り込むことにより、前記Ｕ字体に取り付けられ、
前記空所が前記案内板によってほぼ塞がれることにより、前記案内板は前記Ｕ字体に取り付けられたピンチ取付け体が前記Ｕ字体から外れることを阻止する物干しハンガーのピンチ取付け体取付け機構。
【請求項２】
前記Ｕ字体とフレームとの取り付けが強固となるよう補助する補助板を備えることを特徴とする請求項１に記載の物干しハンガーのピンチ取付け体取付け機構。
【請求項３】
前記Ｕ字体は前記物干しハンガーの壁面に複数設けられ、
複数個のＵ字体が、個々のＵ字体の一端と他端とを結ぶ直線が、同一直線上に同一方向に並ぶように配置されることを特徴とする請求項１又は請求項２に記載の物干しハンガーのピンチ取付け体取付け機構。
【発明の詳細な説明】
【技術分野】
【０００１】
物干しハンガーのフレームにピンチ取付け体を取り付ける機構に関する。
【背景技術】
【０００２】
物干しハンガーには、干す対象を挟むピンチが備わる。ピンチは、通常、物干しハンガーのフレームに直接取り付けるのではなく、ピンチ取付け具を介して取り付けられる。ピンチをフレームに直接取りつけない理由は、物を干す際、干す対象を、フレームからある程度距離を離して配置するのが望ましいためである。
【０００３】
物干しハンガーのフレーム、ピンチ及びピンチ取付け具には、樹脂、ステンレス、等、様々な素材が用いられる。素材を樹脂にした場合、形態の自由が効くという利点がある一方、紫外線による劣化が短期間に生じるという問題があった。素材を金属製にすると、紫外線による劣化が生じ難いという大きな利点がある一方、形態の自由が効かないという問題がある。また、物干しハンガーを製造する際、ピンチをフレームに取り付ける作業は、機械化の進んだ現在でも手作業で行う場合が多く、取り付け作業に要する時間や作業の困難性が、製造時の人件費に影響する。後述の通り、金属製のピンチ取付け具にあって従来の取り付け方法である場合、取り付けに要する時間と労力のために、製品が高額とならざるを得なかった。
【０００４】
ピンチ取り付け具が樹脂の場合には、形態の自由が効くため、例えば特許文献２に示すような、フレームに取り付け易い形態のピンチ取付け具とすることができた。一方、ピンチ取り付け具が金属製の場合、チェーン状の部材あるいはクリップ状の部材を用いることが一般的である。ピンチ取り付け具がチェーン状の部材の場合、チェーンの一端にピンチを取り付けて、チェーンの他端を物干しハンガーのフレームに取り付ける。チェーンの他端はチェーンを構成する一つのリングで成り、線状の部材を折り曲げてリング状にしてある。チェーンの他端を物干しハンガーのフレームに取り付ける際は、リングをこじ開けて、フレームに設けた孔等に嵌め込む、という作業が必要であった。この方法の場合、大量のピンチを取り付けるには時間を要するし、作業者の手指を痛める原因にもなった。このため、製造のための費用が高額となった。ピンチ取付け部材がチェーン状の部材の場合について説明したが、ピンチ取付け部材がクリップ状の部材の場合も同様である。
【０００５】
物干しハンガーを構成する部材のうち、ピンチが最も破損しやすいところ、破損したピンチを交換することができれば、物干しハンガーを廃棄することなく使用し続けることができる。この場合、ピンチの交換は、最終の一般消費者が行う。このため、物干しハンガーのフレームにピンチを取り付ける作業は、製造工程のみならず、最終の一般消費者にとっても、やり易いものであることが好ましい。
【０００６】
特許文献１に、ピンチ取り付け部材を細長いループ状体を中央に折り返してなる形状とし、さらに、係止突起を備えた係止補助具を用いた機構が記載されている。特許文献１に記載の機構によると、リングをこじ開ける、という作業は不要となるが、部品数が多いという問題がある。また、取り付けのためには、細長いループ状体をつまんで、係止補助具の係止突起に引っ掛ける、という作業が必要であり、この作業をこなすための技能が必要となる、という問題がある。
【０００７】
特許文献２は、登録意匠の公報である。意匠に係る物品は物干し器のフレーム枠体にピンチを吊設するためのピンチ吊下げ具であるところ、金属製の素材で特許文献２に示すような形体のものを製造することは、実際には考えにくい。
【先行技術文献】
【特許文献】
【０００８】
【特許文献１】実開平５−３９４９４号公報
【特許文献２】意匠登録第１３６５５７０号公報
【発明の概要】
【発明が解決しようとする課題】
【０００９】
物干しハンガーのフレームに、ピンチ取付け体を容易に取り付けることのできる機構を提供することを課題とする。
【課題を解決するための手段】
【００１０】
（１）物干しハンガーにピンチを取付けるピンチ取付け体と、一端が前記物干しハンガーのフレームに取りつけられ他端が開放端となるＵ字体とを備え、前記ピンチ取付け体は、前記Ｕ字体の前記開放端と前記フレームとの間に形成された空所から挿入されて前記Ｕ字体に取り付けられる物干しハンガーのピンチ取付け体取付け機構によって課題を解決する。
（２）前記フレームから前記Ｕ字体の前記開放端に向けて延びる片持ち梁の案内板であって、前記Ｕ字体へのピンチ取付け体の取り付けを案内する案内板を備えることを特徴とする（１）に記載の物干しハンガーのピンチ取付け体取付け機構によって課題を解決する。
（３）前記空所が前記案内板によってほぼ塞がれることにより、前記案内板は前記Ｕ字体に取り付けられたピンチ取付け体が前記Ｕ字体から外れることを阻止することを特徴とする（１）又は（２）のいずれかに記載の物干しハンガーのピンチ取付け体取付け機構によって課題を解決する。
（４）前記Ｕ字体とフレームとの取り付けが強固となるよう補助する補助板を備えることを特徴とする（１）から（３）のいずれかに記載の物干しハンガーのピンチ取付け体取付け機構によって課題を解決する。
（５）前記Ｕ字体は前記物干しハンガーの壁面に複数設けられ、複数個のＵ字体が、個々のＵ字体の一端と他端とを結ぶ直線が、同一直線上に同一方向に並ぶように配置されることを特徴とする（１）から（４）のいずれかに記載の物干しハンガーのピンチ取付け体取付け機構によって課題を解決する。
【００１１】
「Ｕ字体」とは、一端である部位と、他端である部位と、一端と他端の間に存するおり返す部位、の三つの部位がある部材をいう。このような三つの部位があれば足り、例えば一端と他端の間に存する折り返す部位が丸みを帯びておらず、いわばＶ字の形体であっても対象となる。また例えば、他端が開放端である場合に、他端がさらにひとつおり返す部位を備えており、「Ｕ字体」がいわば全体的にＳ字の形体を成しても良い。他端がさらにひとつおり返す部位を備えることにより、「Ｕ字体」に係合したピンチが抜け出すことを防ぐことができる。物干しハンガーに物を干す際、Ｕ字体は重力で垂れ下がり、一端と他端の間に存する折り返す部位にクリップが係合する。
【００１２】
この明細書において、「フレームの壁面」とは、特に限定しない限り、物干しハンガーのフレームを構成する全ての面をいう。例えばフレームの枠が、枠の横断面が「コの字型」の形態で成る枠の場合、「フレームの壁面」とは「コ」の字を形成する各辺を含む３つの面全てをいう。
【００１３】
Ｕ字体で成るフックは、ある程度撓むことのできる素材で構成する。クリップを取り付ける際にはフックがクリップに押されて撓むことによりクリップを挿入することができる。クリップの挿入が終わると、フックが元の位置に戻ることにより、今度はフックからクリップが外れにくくなる。
【００１４】
フックの開放端とフレームとの間の空所が小さく、またハンガーの使用時、ピンチは、重力によりフックの「おり返す部位」に留まって垂れ下がる。このため、ピンチはフックから外れにくいようにされている。さらに、フックの開放端とフレームの間の空所の近傍の案内板が、空所の蓋のような機能を果たし、ピンチはよりいっそうフックから外れにくくなる。
【００１５】
クリップの材質は、金属製、樹脂製、等、いずれでも対象である。
【発明の効果】
【００１６】
本願の機構にあっては、物干しハンガーのフレームに、ピンチ取付け体を容易に取付けることができる。
【図面の簡単な説明】
【００１７】
【図１】本願実施例１に係る物干しハンガーの全体を示す。
【図２】本願実施例１に係るフックの形態を示す。
【図３】本願実施例１に係るフックとクリップの取付機構を示す。
【図４】本願実施例１に係るフレームとフックを示す。
【図５】従来例を示す。
【発明を実施するための形態】
【００１８】
以下、本発明の好適な実施の形態について、図面を参照し説明する。
【実施例１】
【００１９】
図１に示す通り、物干しハンガー１は、物干しハンガーの躯体であるフレーム３と、干す対象を挟むピンチ６を備える。ピンチ６はフレーム３に直接取り付けられるのではなく、ピンチ取付け体であるクリップ５を介してフレーム３に取り付けられる。クリップ５は金属製で成る。
【００２０】
図４に示す通り物干しハンガー１は、フック１０を備える。なお、図４では、フックの向きに関し、フックの開放端部の位置が明確になるようデフォルメして表示してある。図４に示す方向から物干しハンガー１を眺めた場合、ひとつひとつのフックは、図２の（ｂ）のように見える。フック１０は樹脂製で成り、人の力で押すことにより多少の撓みを許す。図３に示す通りフック１０にクリップ５が取り付けられ、図１に示す通りクリップ５にピンチ６が取り付けられる。
【００２１】
図２を参照してフック１０の構成を説明する。図２（ａ）は、物干しハンガーの、一つのフック１０がある個所を、側方から見た説明図であり、断面「コの字」型で成るフレームを構成する３つの壁（３ｂ、３ａ、３ｃ）のうち、３ｂの壁を取り除いている。図２（ｂ）は、物干しハンガーの、一つのフック１０がある箇所を、底面から見た説明図である。
【００２２】
フック１０は略Ｕ字型で成る。フック１０の一端は基部１１を構成しフレーム３に固着される。フック１０の他端はフレーム３の方向に向けて開放する開放端部１２を構成しており、開放端部１２とフレーム３の間には空所１４がある。
【００２３】
フック１０の開放端部１２の近傍には、フレーム３から延びる片持ち梁の案内板１６が設けてある。案内板１６は、樹脂製で成り、フック１０と同様、人の力で押すことにより多少の撓みを許す。案内板１６は、後述の通りフック１０にクリップ５を取り付ける際、クリップ５を案内するものとして機能する。
【００２４】
フック１０の基部１１には、フレーム３から延びる支板１５が取り付けてある。支板１５はコの字型を呈するフレームの三つの壁面（３ａ、３ｂ、３ｃ）に亘って延びている。支板１５によって、フック１０が、基部１１のあたりでは不要に撓まないようにされている。
【００２５】
図３（ａ）〜（ｅ）を参照してフック１０にクリップ５を取り付ける機構を説明する。
【００２６】
（ａ）クリップ５は、線状の金属を曲げたリング状部材で成るところ、まず、クリップ５をフック１０にリングが係合する方向に向け、案内板１６とフック１０の間に形成されるクリップ導入口１９から、クリップ５をフック１０に差し入れる。
【００２７】
（ｂ）クリップ５を、案内板１６に沿わせながら、フレームの案内壁１８の方向に向けて更に差込む。この際、案内板１６とフック１０は、入り込んでくるクリップ５に押されて、クリップ５から逃れる方向（図中の小さな矢印の方向）に少し撓む。この際、フック１０の基部１１にはフックの撓みに耐える力が必要である。このため、フック１０の基部１１側には支板１５が設けてある。支坂１５は、フック１０の前後左右いずれの方向に向けても強固に支えるために、物干しハンガーのフレームの壁面に亘って延びている。
【００２８】
（ｃ）クリップ５が案内壁１８に行き着くと、クリップ５の先端はフックの開放端１２とフレームの案内壁１８との間に形成された空所１４に入り込み、その瞬間、案内板１６とフック１０の、クリップ５から逃れる方向への撓みは解消し、フック１０の開放端１２は図中の小さな矢印の方向に移動し、クリップ５から逃れる方向に撓む前の、元の位置に戻る。
【００２９】
（ｄ）フックの先端の開放端１２をクリップ５のリングに入り込ませ、クリップ５をフックのクリップ係合部１３の方向（図中の矢印の方向）に向けて移動させる。
【００３０】
（ｅ）クリップ５がフックのクリップ係合部１３まで行きついたら、フック１０へのクリップ５の取り付けは完了である。
【００３１】
図４を参照して、クリップ５を、複数、物干しハンガー１に取り付ける機構を説明する。物干しハンガー１の、ピンチを取り付ける箇所に、フック１０が一つずつ設けてある。図４の物干しハンガー１にあっては、フック１０が３２カ所に設けてある。フックにピンチを取り付ける機構を説明するべく、各フックにＡ１からＡ１６、及びＢ１からＢ１６の符号を付した。Ａ１からＡ１６のフックは、フックの開放端部１２の開放する向きが共通であり、いずれも図４の下方に向けて開放している。また、Ｂ１からＢ１６のフックは、フックの開放端部１２の開放する向きが共通であり、いずれも図４の示す下方に向けて開放している。
【００３２】
なお、図４に示す物干しハンガー１にあっては、フレームが折れ曲がるための回転軸（符号付さず）を中心にフレーム３が二つに折れ曲がる。すなわち、フレーム３は、図の上半分のフレーム（すなわち、フックのＡ２からＡ１５、Ｂ１６及びＢ１の存する側）（「上側フレーム」と称す）と、図の下半分のフレーム（すなわち、フックのＢ２からＢ１５、Ａ１６及びＡ１の存する側）（「下側フレーム」と称す）の二つに折れ曲がる。Ｂ１６及びＢ１が上側フレームに存する理由は、Ｂ１６及びＢ１は、フレームが折れ曲がるための回転軸の際にあるため、Ａ２からＡ１５のフックと同じ向きを向く場合、回転軸が邪魔になってのフレームを取り付け難いからである。Ａ１６とＡ１が下側フレームに存する理由も、これと同様である。
【００３３】
クリップ５の物干しハンガー１への取り付けは、次のとおりである。まず、作業者は、物干しハンガー１を、下側フレームが作業者の手前に位置するような向きに置いて物干しハンガー１を抱える。次に、Ｂ１、Ｂ２、Ｂ３、Ｂ４、Ｂ５、Ｂ６、・・・Ｂ１３、Ｂ１４、Ｂ１５、Ｂ１６の順に、図３で説明した通りの作業でフック１０にクリップ５を、一つのフレームに一つずつ取り付けていく。この際、フック１０の開放端１２が同じ向きを向いているので、作業の効率が非常によい。次に、作業者は、物干しハンガー１を１８０度回転させて、上側フレームが手前に位置するような向きに置いて物干しハンガー1を抱える。次に、Ａ１、Ａ２、Ａ３、Ａ４、Ａ５、Ａ６、・・・Ａ１３、Ａ１４、Ａ１５、Ａ１６の順に、図３で説明した通りの作業でフック１０にクリップ５を、一つのフレームに一つずつ取り付けていく。この際、フック１０の開放端１２が同じ向きを向いているので、作業の効率が非常によい。
【符号の説明】
【００３４】
１  物干しハンガー
３  フレーム
５  クリップ
６  ピンチ
１０  フック
１１  基部
１２  開放端部
１３  クリップ係合部
１４  空所
１５  支板
１６  案内板
１８  案内壁
１９  クリップ導入口
３２  溝
３５  係止具
３６  係止突起
３７  ループ状体
【要約】
【課題】
物干しハンガーのフレームに、ピンチ取付け具を容易に取り付けることのできる機構を提供することを課題とする。
【解決手段】
物干しハンガーにピンチを取付けるピンチ取付け体と、一端が前記物干しハンガーのフレームに取りつけられ他端が開放端となるＵ字体とからなる物干しハンガーのピンチ取付け体取付け機構によって課題を解決する。ピンチ取付け体は、Ｕ字体の開放端とフレームとの間に形成された空所から挿入されてＵ字体に取り付けられる。
【選択図】        図３【図１】
0006745517.tif 000002
【図２】
0006745517.tif 000003
【図３】
0006745517.tif 000004
【図４】
0006745517.tif 000005
【図５】
0006745517.tif 000006